(57)【要約】【課題】  比較的簡単な構成でもって、第１貯蔵部から第２貯蔵部に液化ガスを所要の通りに移送することができる液化ガス移送システムを提供すること。【解決手段】  ＬＮＧなどの液化ガスが貯蔵された第１及び第２ＬＮＧタンク４，８と、液化ガスを移送するための移送ライン１０と、移送ライン１０の払出し側に配設された移送ポンプ２４と、移送ポンプ２４の下流側に配設された流量制御弁２６と、を備えた液化ガス移送システム。移送ラインには気化立上げ部４２が設けられ、気化立上げ部４２は移送ライン１０の他の部分よりも高く、移送ライン１０の全体を通して液化ガスの圧力が最も低い状態となるように構成され、更に、気化立上げ部４２には気化ガスを系外に排出するための排出ライン４８が接続され、排出ライン４８には液面制御弁５０が配設され、発生した気化ガスは排出ライン４８及び液面制御弁５０を通して系外に排出される。【選択図】  図１
2006275134.tif 000002
【特許請求の範囲】
【請求項１】
液化ガスが貯蔵された第１及び第２貯蔵部と、前記第１貯蔵部に貯蔵された液化ガスを前記第２貯蔵部に移送するための移送ラインと、前記移送ラインの払出し側に配設された移送ポンプと、前記移送ラインにおける前記移送ポンプより下流側部位に配設され、前記移送ラインを通して移送される液化ガスの流量を制御するための流量制御弁と、を備えた液化ガス移送システムであって、
前記移送ラインにおける前記流量制御弁より下流側部位には気化立上げ部が設けられ、前記気化立上げ部は前記移送ラインの他の部分よりも高く、前記移送ライン全体を通して液化ガスの圧力が最も低い状態となるように構成され、更に、前記気化立上げ部には気化ガスを系外に排出するための排出ラインが接続され、前記排出ラインには液面制御弁が配設され、前記気化立上げ部にて発生した気化ガスが前記排出ライン及び前記液面制御弁を介して系外に排出されることを特徴とする液化ガス移送システム。
【請求項２】
前記移送ラインの前記気化立上げ部の上端部は、前記移送ラインの他の部分よりも２ｍ以上高く設定されていることを特徴とする請求項１に記載の液化ガス移送システム。
【発明の詳細な説明】
【技術分野】
【０００１】
本発明は、ＬＮＧ（液化天然ガス）、ＬＰＧ（液化石油ガス）などの液化ガスを移送するための液化ガス移送システムに関する。
【背景技術】
【０００２】
ＬＮＧ基地などにおいては、多数のＬＮＧタンクが設置され、ＬＮＧタンク相互間で貯蔵されたＬＮＧの移送が行われている。ＬＮＧタンク相互間のＬＮＧの移送は、例えば、図２に示す移送システムで行われている。図２において、海岸の第１埋立地Ａには第１ＬＮＧタンク１０２が設置され、この第１埋立地Ａから離れた第２埋立地Ｂには第２ＬＮＧタンク１０４が設置され、第１ＬＮＧタンク１０２と第２ＬＮＧタンク１０４とが移送ライン１０６を介して接続されている。第１ＬＮＧタンク１０２の払出し側（移送ライン１０６の一端側）には、ＬＮＧを移送するための移送ポンプ１０８が配設されるとともに、この移送ポンプ１０８の下流側に流量制御弁１１０が配設され、また第２ＬＮＧタンク１０４の受入れ側（移送ライン１０６の他端側）に圧力制御弁１１２及び緊急ガス遮断弁１１４が配設される。
【０００３】
このような移送システムにおいて、移送ポンプ１０８を作動すると、この移送ポンプ１０８の作用によって第１ＬＮＧタンク１０２内のＬＮＧが払出され、払出されたＬＮＧは移送ライン１０６を通して第２ＬＮＧタンク１０４に移送され、このようにして第１ＬＮＧタンク１０２内のＬＮＧが第２ＬＮＧタンク１０４に受け入れられて貯蔵される。
【発明の開示】
【発明が解決しようとする課題】
【０００４】
このような移送システムにおいては、移送ポンプ１０８によって第１ＬＮＧタンク１０２から払出されたＬＮＧは、移送ポンプ１０８からの入熱及び大気からの自然入熱などによって液温が上昇するようになる。低い圧力条件で移送する場合、液温が上昇すると、移送ライン１０６内においてＬＮＧが沸騰し、その一部、特に立上げ部１０６ａにおいて大きな振動、騒音が発生するようになる。例えば、図２に示すように、移送ライン１０６の一部が海１１６の底に敷設されている場合などにおいては、移送ライン１０６は大きな高低差を有し、その立上げ部１０６ａにおいてＬＮＧの沸騰が発生し易くなる。
【０００５】
このようなことから、第１ＬＮＧタンク１０２の払出し側に流量制御弁１１０が設けられるともに、第２ＬＮＧタンク１０４の受入れ側に圧力制御弁１１２が設けられ、これら流量制御弁１１０及び圧力制御弁１１２によって移送ライン１０６内のＬＮＧを所要の圧力状態に高め、このような圧力状態に保つことによって、移送ライン１０６内のＬＮＧが過冷却状態に保たれている。
【０００６】
しかしながら、このような移送システムでは、ＬＮＧを移送する先の第２ＬＮＧタンク１０４の受入れ側に圧力制御弁１１２が必要となり、第２ＬＮＧタンク１０４が多数存在する場合、各第２ＬＮＧタンク１０４の受入れ側に圧力制御弁１１２が必要となり、多数の第２圧力制御弁１１２が必要となる。
【０００７】
また、このような移送システム全体を最初から構築する場合、特に大きな問題はないが、既設のＬＮＧタンク設備を活用して移送システムを構築しようする場合、既設のＬＮＧタンクの受入れ側に圧力制御弁を増設しなければならず、構造的に圧力制御弁の増設が困難なことがある。また、圧力制御弁の増設が可能であっても、ＬＮＧの移送先の配管設計圧力がＬＮＧの移送元の移送ポンプの運転圧力よりも低い場合、増設した圧力制御弁の制御が複雑になる。特に、ＬＮＧの移送元とＬＮＧの移送先との運転要員が異なるときには、両者間で密に連絡を取りながらＬＮＧの移送を行わなければならず、その作業が非常に煩雑なものとなる。
【０００８】
本発明の目的は、比較的簡単な構成でもって、第１貯蔵部から第２貯蔵部に液化ガスを所要の通りに移送することができる液化ガス移送システムを提供することである。
【課題を解決するための手段】
【０００９】
本発明の請求項１に記載の液化ガス移送システムは、液化ガスが貯蔵された第１及び第２貯蔵部と、前記第１貯蔵部に貯蔵された液化ガスを前記第２貯蔵部に移送するための移送ラインと、前記移送ラインの払出し側に配設された移送ポンプと、前記移送ラインにおける前記移送ポンプより下流側部位に配設され、前記移送ラインを通して移送される液化ガスの流量を制御するための流量制御弁と、を備えた液化ガス移送システムであって、
前記移送ラインにおける前記流量制御弁より下流側部位には気化立上げ部が設けられ、前記気化立上げ部は前記移送ラインの他の部分よりも高く、前記移送ライン全体を通して液化ガスの圧力が最も低い状態となるように構成され、更に、前記気化立上げ部には気化ガスを系外に排出するための排出ラインが接続され、前記排出ラインには液面制御弁が配設され、前記気化立上げ部にて発生した気化ガスが前記排出ライン及び前記液面制御弁を介して系外に排出されることを特徴とする。
【００１０】
また、本発明の請求項２に記載の液化ガス移送システムでは、移送ラインの前記気化立上げ部は、前記移送ラインの他の部分よりも２ｍ以上高く設定されていることを特徴とする。
【発明の効果】
【００１１】
本発明の請求項１に記載の液化ガス移送システムによれば、第１貯蔵部の払出し側（即ち、移送ライン１０の払出し側）に液化ガスの払出し流量を制御するための流量制御弁が配設され、この流量制御弁の下流側に移送ラインの気化立上げ部が設けられ、この気化立上げ部は移送ラインの他の部分よりも高く位置している。移送ラインにこのように気化立上げ部を設けることによって、この気化立上げ部において第２貯蔵部の液ヘッド（所謂、水頭）の小さくなる状態、即ち液化ガスの圧力が低い状態を作ることができる。従って、移送ラインを移送される液化ガスはこの気化立上げ部において最も沸騰（ガス化）し易く、移送ラインに高低差が存在しても沸騰するとすればこの気化立上げ部において沸騰するようになる。このように気化立上げ部にて最も気化し易い状態をつくるので、第２貯蔵部の受入側に圧力制御弁を設ける必要がなく、移送システムの構造を簡単にすることができる。また、この気化立上げ部には気化ガスを排出するための排出ラインが設けられ、液面制御弁を有する排出ラインを介して系外に排出される。尚、この排出ラインは、例えば第１貯蔵部のＢＯＧ（ボイルオフガス）ラインに接続される。液化ガスとはＬＮＧ（液化天然ガス）、ＬＰＧ（液化石油ガス）などであり、第１及び第２貯蔵部とは液化ガスを貯蔵する例えば貯蔵タンクなどである。
【００１２】
また、本発明の請求項２に記載の液化ガス移送システムによれば、移送ラインの気化立上げ部は他の部分よりも２ｍ以上高く位置しているので、この気化立上げ部において液化ガスの圧力が充分に低い状態を作ることができ、従って、移送ラインを移送される液化ガスは沸騰するとすればこの気化立上げ部において沸騰してガス化するようになる。
【発明を実施するための最良の形態】
【００１３】
以下、図１を参照して、本発明に従う液化ガス移送システムの一実施形態について説明する。図１は、一実施形態の液化ガス移送システムを簡略的に示す簡略図である。
図１において、図示の液化ガス移送システムは、液化ガスとしてのＬＮＧ（液化天然ガス）の移送システムに適用されており、例えば海岸の第１埋立地２に設置された第１ＬＮＧタンク４（第１貯蔵部を構成する）と、例えば海岸の第２埋立地６に設置された第２ＬＮＧタンク８（第２貯蔵部を構成する）と、第１ＬＮＧタンク４と第２ＬＮＧタンク８とを接続する移送ライン１０とを備え、移送ライン１０は各種配管から構成される。尚、図１においては、第１埋立地２に設けた一つの第１ＬＮＧタンク４と、第２埋立地６に設けた一つの第２ＬＮＧタンク８とを示すが、実際の移送システムでは、第１及び第２埋立地２，６に第１及び第２ＬＮＧタンク４，８がそれぞれ複数設置される。
【００１４】
この実施形態では、第１埋立地２と第２埋立地６との間に海１２が存在し、移送ライン１０の一部はこの海１２の底に沿って敷設されている。移送ライン１０の一端側は第１埋立地２に敷設され、その他端側は第２埋設地６に施設され、その中間部が海底に敷設されている。
【００１５】
移送ライン１０の一端側には、第１ＬＮＧタンク４からほぼ水平に延びる第１接続部１４と、この第１接続部１４からほぼ垂直に立ち上がる第１立上げ部１６と、第１立上げ部１６からほぼ水平に延びる第１水平部１８と、第１水平部１８からほぼ垂直に立ち下がる第１立下げ部２０と、第１立下げ部２０からほぼ水平に延びる第２水平部２２とが設けられ、このように第１立上げ部１６、第１水平部１８及び第１立下げ部２０を設けることによって、第１埋立地２の海岸線に設置された防波堤２３を乗り越えて海１２側に延びている。この移送ライン１０の第１接続部１４には、移送ポンプ２４及び流量制御弁２６が設けられている。移送ポンプ２４は移送ライン１０を通してＬＮＧを移送するためのものであり、流量制御弁２６は移送ライン１０を通して送給されるＬＮＧの流量を制御するためのものであり、この流量制御弁２６は移送ポンプ２４の下流側に配設される。
【００１６】
移送ライン１０の他端側には、第２ＬＮＧタンク８からほぼ水平に延びる第２接続部２７と、この第２接続部２７から更にほぼ水平に延びる第３水平部２８が設けられ、第３水平部２８が海１２側に延びている。この移送ライン１０の第２接続部２７には、緊急ガス遮断弁３０が設けられ、この緊急ガス遮断弁３０は緊急時に移送ライン１０を遮断するためのものである。
【００１７】
移送ライン１０の一端側の第２水平部２２とその他端側の第３水平部２８とは、第２水平部２２からほぼ垂直に立下がって海底に向けて延びる第２立下げ部３２と、第２立下げ部３２からほぼ水平に海底に沿って延びる第４水平部３４と、この第４水平部３４からほぼ垂直に立ち上がって海上に向けて延びる第２立上げ部３６とを介して接続されている。
【００１８】
このような移送システムでは、移送ライン１０の全体を通して他の部分よりも高い位置となるように気化立上げ部４２を設けることが重要である。この実施形態では、第１ＬＮＧタンク４側の第１水平部１８に気化立上げ部４２が設けられ、この気化立上げ部４２は第１水平部１８からほぼ垂直に立ち上がっている。気化立上げ部４２の上端からは気化水平部４４がほぼ水平に延び、この気化水平部４４から気化立下げ部４６がほぼ垂直に立ち下がり、この気化立下げ部４６が第１水平部１８に接続されている。このように構成されているので、気化立上げ部４２、気化水平部４４及び気化立下げ部４６は、移送ライン１０の一端側の第１水平部１８から上方に突出し、移送ライン１０の全体を通して最も高い位置に位置するようになる。この気化立上げ部４２の上端部及び気化水平部４４は、移送ライン１０の他の部分（気化立上げ部４２、気化水平部４４及び気化立下げ部４６を除く部分）よりも２ｍ以上高くなるように設定するのが望ましく、このような高さに設定することによって、気化水平部４４において第２ＬＮＧタンク８の液ヘッド（所謂、水頭）の小さくなる状態、即ちＬＮＧの圧力が低い状態をつくることができる。
【００１９】
気化水平部４４には排出ライン４８が接続され、この排出ライン４８には液面制御弁５０が設けられる。液面制御弁５０は、気化水平部４４にて沸騰して気化したガスが配管内に溜まる体積を制御し、気化ガスが配管内に溜まる体積が所定値を超えると開放され、発生した気化ガスは排出ライン４８を通して系外に排出される。
【００２０】
この実施形態では、排出ライン４８は第１ＬＮＧタンク４のＢＯＧ（ボイルオフガス）ライン（図示せず）に接続され、ＢＯＧ用コンプレッサ（図示せず）の作用によって下流側に送給される。
【００２１】
次に、上述した移送システムによるＬＮＧの移送について説明する。第１ＬＮＧタンク４のＬＮＧを移送ライン１０を通して第２ＬＮＧタンク８に移送するには、移送ポンプ２４を作動させればよい。移送ポンプ２４を作動させると、その作用によってＬＮＧが送給され、第１ＬＮＧタンク４内のＬＮＧは移送ライン１０を通して第２ＬＮＧタンク８に送給され、第１ＬＮＧタンク４内から第２ＬＮＧタンク８内に移送される。
【００２２】
この移送の際には、第１ＬＮＧタンク４から払出されたＬＮＧは、第１立上げ部１６及び第１水平部１８の上流側部を通り、更に気化立上げ部４２、気化水平部４４及び気化立下げ部４６を通して第１水平部１８の下流側部に送給される。気化立上げ部４２の上端部及び気化水平部４４は移送ライン１０を通して最も高い位置レベルになっており、それ故に、この気化立上げ部４２の上端部及び気化水平部４４においてＬＮＧの圧力が低い状態をつくることができる。このように移送ライン１０において圧力状態が低いところを積極的につくると、移送されるＬＮＧはこの圧力状態が低いところで沸騰して気化ガスが発生し、気化水平部４４において下部にＬＮＧが存在し、上部に気化ガスが存在する様態となり、このように気化させることによって、気化後に残るＬＮＧは気化立上げ部４２及び気化水平部４４における飽和蒸気温度まで低下する。このように温度低下したＬＮＧは、その後に移送において自然入熱が幾分加わるようになるが、気化立上げ部４２の上端部及び気化水平部４４は最も位置レベルが高いので、移送ライン１０のその他の部分（気化立上げ部４２、気化水平部４４及び気化立下げ部４６を除く部分）においては、この気化立上げ部４２及び気化水平部４４との間にヘッド差が存在し、このヘッド差によってＬＮＧの過冷却状態が保たれる。その結果、気化立上げ部４２及び気化水平部４４において積極的に気化（所謂、フラッシュ）させることによって、上記ヘッド差に起因してその後においてＬＮＧが気化することがなく、従って、第２ＬＮＧタンク８の受入れ側に圧力制御弁を設けてＬＮＧの圧力制御を行う必要がなく、第１ＬＮＧタンク４内のＬＮＧを移送ライン１０を通して第２ＬＮＧタンク８に移送させることができ、第２ＬＮＧタンク８側で発生するＢＯＧ（ボイルオフガス）を少なくしたいときに有効に用いることができる。
【００２３】
尚、気化水平部４４から液面制御弁５０及び排出ライン４８を通して系外に排出された気化ガスは、第１ＬＮＧタンク４のＢＯＧライン（図示せず）に流れる。
以上、本発明に従う液化ガス移送システムの一実施形態について説明したが、本発明はかかる実施形態に限定されるものではなく、本発明の範囲を逸脱することなく種々の変形乃至修正が可能である。
【００２４】
例えば、上述した実施形態では、移送ライン１０の一部を海底に沿って敷設しているが、必ずしもこのように敷設する必要はなく、陸上のみに敷設したときにも同様に適用することができ、特に移送ライン１０に高低差が存在するときに有効に適用することができる。
【図面の簡単な説明】
【００２５】
【図１】一実施形態の液化ガス移送システムを簡略的に示す簡略図。
【図２】従来の液化ガス移送システムを簡略的に示す簡略図。
【符号の説明】
【００２６】
４  第１ＬＮＧタンク
８  第２ＬＮＧタンク
１０  移送ライン
２４  移送ポンプ
２６  流量制御弁
４２  気化立上げ部
４４  気化水平部
４６  気化立下げ部
４８  排出ライン
５０  液面制御弁
【図１】
2006275134.tif 000003
【図２】
2006275134.tif 000004